(57)【要約】【課題】シートの進退動作をスムーズに行うと共に、シートシャッタからシートガイドを取外すことなくインナーレールの交換等のメンテナンス作業を行い易くするシートシャッタのシートガイド機構を提供する。【解決手段】シートガイド１１の正面壁１１ａと後面壁１１ｂとに連なる外面壁１１ｃと内面壁１１ｄとの間で、インナーレール１６をアウターレール１４内に沿って着脱及びスライド自在に挿入する溝状開放部１３と、インナーレール１６をアウターレール１４内で外向き方向に付勢支持するレール付勢支持機構２１を収容するインナー支持室２０とをＣ形断面に形成して連通させると共に、正面壁１１ａ側からアウターレール１４の溝状開放部１３を狭めインナーレール１６をスライド自在に保持するスライド保持姿勢から、溝状開放部１３を押し広げてインナーレール１６及びレール付勢支持機構２１を取り出し可能に構成する。【選択図】図５
2018040206.tif 000002
【特許請求の範囲】
【請求項１】
シートドラム（５）の正逆回転によって進退移動するシート（２）を、横向きに引っ張り付勢するレール付勢支持機構（２１）を介して案内支持するインナーレール（１６）と、該インナーレール（１６）を溝状開放部（１３）内にスライド自在に嵌挿支持するアウターレール（１４）とを有するシートガイド（１１）を備えるシートシャッタのシートガイド機構において、
前記シートガイド（１１）の正面壁（１１ａ）と後面壁（１１ｂ）とに連なる外面壁（１１ｃ）と内面壁（１１ｄ）との間で、インナーレール（１６）をアウターレール（１４）内に沿って着脱及びスライド自在に挿入する溝状開放部（１３）と、インナーレール（１６）をアウターレール（１４）内で外向き方向に付勢支持するレール付勢支持機構（２１）を収容するインナー支持室（２０）とをＣ形断面に形成して連通させると共に、正面壁（１１ａ）側からアウターレール（１４）の溝状開放部（１３）を狭めインナーレール（１６）をスライド自在に保持するスライド保持姿勢から、溝状開放部（１３）を押し広げてインナーレール（１６）及びレール付勢支持機構（２１）を取り出し可能に構成したシートシャッタのシートガイド機構。
【請求項２】
シートガイド（１１）を、外面壁（１１ｃ）側と正面壁（１１ａ）側とに可撓性及び弾力性を付与して合成樹脂製とし、正面壁（１１ａ）側を前後に撓ませることにより溝状開放部（１３）の間隙の調節とすると共に、溝状開放部（１３）からのインナーレール（１６）の取り出しを可能にした請求項１記載のシートシャッタのシートガイド機構。
【請求項３】
前記シートガイド（１１）のインナー支持室（２０）内に室内の前後幅を規制する取付座（３０）を内挿し、正面壁（１１ａ）側を後面壁（１１ｂ）側に向け押し寄せ可能にする間隔規制ボルト（２９ａ）を着脱自在に設け、間隔規制ボルト（２９ａ）のねじ込みにより溝状開放部（１３）の間隙を調節すると共に、間隔規制ボルト（２９ａ）の取外しにより正面壁（１１ａ）側の押接を解除して溝状開放部（１３）を押し開き可能にした請求項１又は２記載のシートシャッタのシートガイド機構。
【請求項４】
前記シートガイド（１１）をシートケース（４）と分離させた状態で、パイプ製の支柱（３）にドリルボルト（２９ａ）によって締着して取付ける請求項１又は２又は３記載のシートシャッタのシートガイド機構。
【請求項５】
前記シートガイド（１１）の外周の少なくとも床面から所定高さ範囲を、シート（２）の通過を自在にする開口部（４１ｋ）を有するＣ形断面のガイドカバー（４１）によって着脱自在に覆う構成にした請求項１又は２又は３又は４記載のシートシャッタのシートガイド機構。
【請求項６】
前記レール付勢支持機構（２１）を、インナー支持室（２０）の内側仕切り壁（２０ｂ）側に接当させる帯板状のインナー規制支持具（２４）と、内側端の前後両側に係合ガイド（１６ｂ）を備えてシート（２）の係合突起（１０）を案内支持するレール溝を形成するインナーレール（１６）のレール底壁（１６ａ）側とに、インナー支持室（２０）側からスプリング（２６）によって外向きに付勢される取付ピン（２３）を所定の取付け間隔を有して挿入すると共に、レール溝内でレール底壁（１６ａ）から突出する取付ピン（２３）の先端部にインナーレール（１６）に対する取付具（２７）を着脱自在に取付けた請求項１又は２又は３又は４又は５記載のシートシャッタのシートガイド機構。
【請求項７】
前記シート（２）が間口を閉鎖する際に、インナーレール（１６）を介しシート（２）を外向きに引っ張り支持することにより、シート（２）を緊張させて撓みを防止する機構とした請求項１又は２又は３又は４又は５又は６記載のシートシャッタのシートガイド機構。
【請求項８】
前記インナー支持室（２０）内に、シート（２）が間口を閉鎖する際にインナーレール（１６）を介しシート（２）を外向きに引っ張り支持するシート緊張支持機構（２２）を設けた請求項１又は２又は３又は４又は５又は６又は７記載のシートシャッタのシートガイド機構。
【発明の詳細な説明】
【技術分野】
【０００１】
この発明はシートシャッタのシートガイド機構に関する。
【背景技術】
【０００２】
従来、シートドラムの正逆回転によって進退移動するシートを弾力的に引っ張り付勢して案内支持するレール付勢支持機構を有するインナーレールと、該インナーレールを溝状開放部内にスライド自在に嵌挿支持するアウターレールとを有するシートガイド機構の支柱を備えるシートシャッタが既に公知である。（例えば、特許文献１）
【０００３】
上記シートシャッタは、シートのガイド突起をレール溝内で案内支持するインナーレールを、取付ピンに嵌挿したスプリング座とアウターレールの底壁との間で、切欠溝を形成する両側のフック部をスプリングの付勢力により挟持し、シートの両側を外向きの付勢力によって弾力的に張り支持するレール付勢支持機構にすることにより、シートの昇降をスムーズに行うようにしている。
【０００４】
そして、予めアウターレールの取付孔に組付けたスプリングと取付ピンを介して、フック部をスプリング座と底壁との間におき、インナーレールの切欠溝を取付ピンに嵌挿させながら順次挿入すると、インナーレールをアウターレールの一側から他側に向けて簡単に挿入セットすることができると共に、逆順の動作によりインナーレールの引き抜きを容易に行うことができる構成になっている。
【先行技術文献】
【特許文献】
【０００５】
【特許文献１】特許第５２９６７２９号公報
【発明の概要】
【発明が解決しようとする課題】
【０００６】
上記特許文献１のシートシャッタは、長期の使用において係合ガイドのガイド壁が拡開方向に変形したり抜止めガイドが損耗した場合に、係合ガイドのみの交換をすることができ、シートガイドとしての支柱を新たに交換する必要がなく継続使用をすることができる利点がある。然しながら、インナーレールの取外し及び取付け等のメンテナンス作業が煩雑で非能率になる欠点がある。
【０００７】
即ち、上記インナーレールを嵌挿するアウターレールは、支柱の溝に挿入しその両辺を溝端に嵌め込んで固定すると共に、その上下を支柱にビス止め固定される。そして、組立てられた支柱（シートガイド）に対しインナーレールの損耗等に基づく交換等の各種メンテナンス作業を行う際には、シートケースの両側に取付部材を介して着脱自在に接続され且つ必要個所を建物側に固定して立設される支柱に対し、先ず、アウターレールを取外したのち取外されたアウターレールからレール付勢支持機構を分解しインナーレールをレール方向に向けて引き抜く必要がある。このときアウターレールが支柱から容易に外せない構造である場合には、該支柱をシートケース及び建物側から取り外す必要がある。そして、アウターレール及びインナーレール並びに上部シートガイド（シート復帰ガイド）を、レール方向に引き抜き又は差込む等の煩雑な動作によって分解及び組付けを行うものである。
【０００８】
従って、シートケース又は建物側からシートガイドとしての支柱を取外し分離することなくインナーレールのメンテナンス作業を行うことができ難い従来のシートシャッタは、インナーレール及びアウターレールをレール方向に抜き差しする等の煩雑な着脱作業を要する等の欠点がある。また取付ピンとスプリングを収容するインナーレールは、構造が複雑大型化すると共に重量が大きくなり扱い難くコスト高になる等の課題もある。
【課題を解決するための手段】
【０００９】
上記課題を解決するための本発明のシートシャッタのシートガイド機構は、
第１に、シートドラム５の正逆回転によって進退移動するシート２を、横向きに引っ張り付勢するレール付勢支持機構２１を介して案内支持するインナーレール１６と、該インナーレール１６を溝状開放部１３内にスライド自在に嵌挿支持するアウターレール１４とを有するシートガイド１１を備えるシートシャッタのシートガイド機構において、
前記シートガイド１１の正面壁１１ａと後面壁１１ｂとに連なる外面壁１１ｃと内面壁１１ｄとの間で、インナーレール１６をアウターレール１４内に沿って着脱及びスライド自在に挿入する溝状開放部１３と、インナーレール１６をアウターレール１４内で外向き方向に付勢支持するレール付勢支持機構２１を収容するインナー支持室２０とをＣ形断面に形成して連通させると共に、正面壁１１ａ側からアウターレール１４の溝状開放部１３を狭めインナーレール１６をスライド自在に保持するスライド保持姿勢から、溝状開放部１３を押し広げてインナーレール１６及びレール付勢支持機構２１を取り出し可能に構成したことを特徴としている。
【００１０】
第２に、シートガイド１１を、外面壁１１ｃ側と正面壁１１ａ側とに可撓性及び弾力性を付与して合成樹脂製とし、正面壁１１ａ側を前後に撓ませることにより溝状開放部１３の間隙の調節とすると共に、溝状開放部１３からのインナーレール１６の取り出しを可能にしたことを特徴としている。
【００１１】
第３に、前記シートガイド１１のインナー支持室２０内に室内の前後幅を規制する取付座３０を内挿し、正面壁１１ａ側を後面壁１１ｂ側に向け押し寄せ可能にする間隔規制ボルト２９ａを着脱自在に設け、間隔規制ボルト２９ａのねじ込みにより溝状開放部１３の間隙を調節すると共に、間隔規制ボルト２９ａの取外しにより正面壁１１ａ側の押接を解除して溝状開放部１３を押し開き可能にしたことを特徴としている。
【００１２】
第４に、前記シートガイド１１をシートケース４と分離させた状態で、パイプ製の支柱３にドリルボルト２９ａによって締着して取付けることを特徴としている。
【００１３】
第５に、前記シートガイド１１の外周の少なくとも床面から所定高さ範囲を、シート２の通過を自在にする開口部４１ｋを有するＣ形断面のガイドカバー４１によって着脱自在に覆う構成にしたことを特徴としている。
【００１４】
第６に、前記レール付勢支持機構２１を、インナー支持室２０の内側仕切り壁２０ｂ側に接当させる帯板状のインナー規制支持具２４と、内側端の前後両側に係合ガイド１６ｂを有してシート２の係合突起１０を案内支持するレール溝を形成するインナーレール１６のレール底壁１６ａ側とに、インナー支持室２０側からスプリング２６によって外向きに付勢される取付ピン２３を所定の取付け間隔を備えて挿入すると共に、レール溝内でレール底壁１６ａから突出する取付ピン２３の先端部にインナーレール１６に対する取付具２７を着脱自在に取付けたことを特徴としている。
【００１５】
第７に、前記シート２が間口を閉鎖する際に、インナーレール１６を介しシート２を外向きに引っ張り支持することにより、シート２を緊張させて撓みを防止することを特徴としている。
【００１６】
第８に、前記インナー支持室２０内に、シート２が間口を閉鎖する際にインナーレール１６を介しシート２を外向きに引っ張り支持するシート緊張支持機構２２を設けることを特徴としている。
【発明の効果】
【００１７】
上記課題を解決するための本発明によるシートシャッタのシートガイド機構は、
請求項１の発明によれば、アウターレールの溝状開放部内でインナーレールのスライド隙間を適正に保持し、シートの進退動作をスムーズに行うことができる。またインナーレールが損耗したりレール付勢支持機構やインナー支持室内のメンテナンス作業を行う際に、正面壁或いは外面壁等を側方に向けて拡開することにより、大きく拡開した溝状開放部からインナーレール等を簡単に取り出すことができるので、シートシャッタからシートガイドを外すことなく、設置姿勢のシートガイドに対するメンテナンス作業を行い易くすることができる。
【００１８】
請求項２の発明によれば、アウターレールとインナーレールとの適正スライド隙間を、両者の摩耗や変形に対しても簡単に調節保持することができ、シートの進退移動をスムーズに行うことができる。
そして、上記の断面構造によってインナー支持室等を形成するシートガイドは、レール方向の曲げ剛性を高めながら正面壁側を側方に向けて大きく開けた溝状開放部からインナーレール等を取り出すことができると共に、手を離すことにより元の姿に容易に復帰させることができるので、インナーレールの交換や部品の交換修理等のインナー支持室内のメンテナンス作業を行い易くすることができる。
【００１９】
請求項３の発明によれば、間隔規制ボルトのねじ込みにより、正面壁側を押し溝状開放部を狭くしてインナーレールのスライド隙間を適正にすると共に、正面壁側のねじ込み過ぎを取付座によって規制するため隙間調節作業を行い易くすることができる。
【００２０】
請求項４の発明によれば、穴明け加工を省略した支柱にドリルボルトによってシートガイドを直接的に取付けると共に、シートケースとの連結作業も省略するため組み付け作業を能率よく行うことができる。またインナーレールの交換やレール付勢支持機構等のメンテナンス作業を行う際に、支柱からシートケースやシートガイドを外すことなく、取付け状態のまま溝状開放部を拡開してメンテナンス作業を行い易くすることができる。
【００２１】
請求項５の発明によれば、ガイドカバーを装着するシートガイドは、接当体が強く接当しガイドカバーを凹ませシートガイドの接当部を欠落させた場合でも、欠落物をガイドカバー内に留めて外部飛散を防止するため、衛生が求められる食品工場用等のシートシャッタに好適な合成樹脂製のシートガイドを安価に取り扱い易く提供することができる。またガイドカバーは、開口部を広げてシートガイドから取外し易くすることもできるため、インナーレール等のメンテナンス作業を容易にすることができる。
【００２２】
請求項６の発明によれば、内側仕切り壁側に接当させるインナー規制支持具と取付具との間でレール底壁を弾力的に挟持した状態で、インナーレールを簡潔で安価な構成によってアウターレール内に抜け止めを規制して設けることができる。また取付具は間口側からレール溝を介して着脱することができるので、シートガイドを取外すことなくインナーレールの交換等のメンテナンス作業を行い易くすることができる。
【００２３】
請求項７の発明によれば、シート緊張支持機構を備えるシートシャッタは、間口閉鎖時に受ける風等の外力に抗しシートを外向きに引っ張り緊張状態に支持するため、シート接地部の前後動を抑制し床面との摺動伴う汚損や損耗等も低減することができる。
【００２４】
請求項８の発明によれば、正面壁或いは外面壁等を側方に向けて移動することができるため、支柱からシートガイドを外すことなく、大きく拡開した溝状開放部からシート緊張支持機構を簡単に取り出すことができ、メンテナンス作業を能率よく行うことができる。
【図面の簡単な説明】
【００２５】
【図１】本発明が適用されるシートシャッタを一部破断をして示す正面図である。
【図２】同じくシートシャッタの拡大側断面図である。
【図３】シートケースとシートガイドの構成を示す左側拡大正断面図である。
【図４】支柱を含むシートガイドの構成を示し、（ａ）はシートガイドと取付ボルトの構造を示す平断面図であり、（ｂ）は（ａ）の正面図である。
【図５】支柱を含むシートガイドの構成を示し、（ａ）はシートガイドと間隔規制ボルトの構造を示す平断面図であり、（ｂ）は（ａ）の正面図である。
【図６】インナー支持室内に設置されるシート緊張支持機構の非作動状態を示す平断面図である。
【図７】インナー支持室内に設置されるシート緊張支持機構の作動状態を示す平断面図である。
【図８】インナー支持室内の構成を示す平断面図である。
【図９】シート緊張支持機構を備えるシートガイドの構成を示し、（ａ）はシート緊張支持機構の非作動状態を示す一部破断斜視図である。（ｂ）はシート緊張支持機構の作動状態を示す一部破断斜視図である。
【図１０】シート緊張支持機構に使用するレール付勢支持機構の構成を示し、（ａ）は分解斜視図であり、（ｂ）は（ａ）のインナーレールの組み立て態様を示す斜視図である。
【図１１】シート緊張支持機構を有しないレール付勢支持機構の構成を示し、（ａ）は分解斜視図であり、（ｂ）は（ａ）のインナーレールの組み立て態様を示す斜視図である。
【図１２】シート緊張支持機構を有しない別実施形態に関わるシートガイドの取付け構成を示し、（ａ）はシートガイドと取付ボルトの構造を示す平断面図であり、（ｂ）は（ａ）の正面図である。
【図１３】シート緊張支持機構を有しない別実施形態に関わるシートガイドの支柱への取付け構成を示し、（ａ）はシートガイドと間隔規制ボルトの構造を示す平断面図であり、（ｂ）は（ａ）の正面図である。
【図１４】レール付勢支持機構の構成を示し、（ａ）はインナーレールの組み立て態様を示す正面図であり、（ｂ）は（ａ）の平面図である。
【図１５】シートガイドに取付けるガイドカバーの構成を示し、（ａ）はシートガイドにガイドカバーを取付けた状態の平断面図であり、（ｂ）は（ａ）のガイドカバーの要部構造を示す斜視図である。
【図１６】シートガイド取付け用の取付座の構成を示す斜視図である。を示す斜視図である。
【図１７】シートガイドの間隔調節用の取付座の構成を示す斜視図である。
【発明を実施するための形態】
【００２６】
本発明の一実施形態を図面に基づいて説明する。図示するシートシャッタ１は主として建物の出入口に設置され、シャッタ用のシート２と、その左右を支持し上下方向の昇降移動を案内支持するサイドフレーム（ガイド支持部材）としての支柱３と、該支柱３に沿って取付けられるガイドレール部材としてのシートガイド１１と、シート２の開閉機構を内装する筒構造のシートケース４等で構成される。
【００２７】
上記左右の支柱３は出入口の左右で柱や壁に沿わせて固設され、シートケース４は建物の梁或いは壁面に沿って横向きに固設され、シートガイド１１は支柱３の正面壁側に組付けられる。そして、シートケース４に内装したシートドラム（繰出装置）５の正逆回転によって、シート２の巻き取りと繰り出しをすることができ、シート２は両側辺を左右の支柱３に設置されたシートガイド１１に昇降スライド可能に支持されて昇降動作し出入口（間口）の開閉を行う。
【００２８】
先ず、図１〜図３を参照しシートシャッタ１の全体構成について説明する。シートケース４は、側面視で四角形断面の筒構造をなすケース本体６の両側に、端板６ａ，６ｂを着脱自在に取付けることにより中空状のケース室を形成し、ケース室内に左右の端板６ａ，６ｂによって回転可能に軸支される円筒状のシートドラム５をドラム軸方向に収容している。またケース本体６の後方下部には、シート２の昇降移動を許容する間口幅を有する開口部６ｃを形成し、該開口部６ｃの両側に左右のシートガイド１１を臨ませている。
右側の端板６ａは内側面に、円柱形状のモータ７を横向き姿勢で取付けてシートドラム５内に臨ませて支持している。このモータ７は、駆動軸７ａに設けた駆動体８をシートドラム５の内面に嵌合させてシートドラム５を正逆回転させる。
【００２９】
左側の端板６ｂはケース本体６の左端部を閉鎖するように取付けられ、シートドラム５の左端部に取付けた取付板８ａが有する支軸８ｂを回転可能に支持している。これによりシートドラム５は、シートケース４内に水平に軸支されモータ７の正逆回転に伴い、シート２の繰り出し下降（進動）と巻き取り上昇（退動）の移動を行う。
またシート２の開閉作動は、従来のものと同様に制御盤９に設置される操作スイッチ９ａの手動操作指令、並びに通過体を検知する検知部９ｂ，９ｃの検知指令等に基づくモータ７の正逆回転制御によって行なう。
【００３０】
シート２は、可撓性を有する合成樹脂材よりなる長方形の幕体からなり、上端をシートドラム５の周面に軸方向に沿って取付けている。シート２は、幕体の両側縁に沿う線材状の弾性変形可能なプラスチック材製の係合突起１０を設けており、左右の支柱３に各取付けられるレール状のシートガイド１１に、係合突起１０を後述するガイド構造によって昇降スライド可能に係合させて収容している。これによりシート２は、シート両側の抜け止めを図りながら横方向のシート張りを保持して昇降作動を行う。
【００３１】
またシート２の下端には、シート２が最下降した閉じ状態で地面或いは床面等（以下床面と言う）に気密性を保って弾力的に接地し左右方向の通直性を保持する接地部１２を、シート２を下降動作を付勢するウェイト部を兼ねて設けている。この接地部１２は、シート２をウェイト重量によって下方に向けて付勢し且つ伸展させ接地時の床面との気密を確実にすると共に、シート２の下降時に通過する人や車或いは間口内に存在する物品等の接当体と接当した際の緩衝構造を備えている。
【００３２】
次に、図１〜図１１を参照し支柱３と、該支柱３に着脱自在に取付けられるシートガイド１１について説明する。実施形態におけるシートシャッタ１は、間口が高さ２５００ミリ、幅２０００ミリ程度であるところ、支柱３はその前後方向幅を４５ミリ程度、左右幅を７５ミリ程度、肉厚を２．３ミリ程度にした方形状中空断面をなす鉄製角パイプにしている。これにより支柱３は、建材用鉄骨規格品として市販されている鉄骨角パイプを利用し、支柱長さ２７００ミリ程度に切断するだけで所望の支柱を簡単且つ安価に製作できる。
【００３３】
そして、図２，図３に示すように左右で２本の支柱３は、断面コ字状又はＬ字状をなす補強用鉄骨である上連結部材３ａによって互いの上部を連結することにより、左右の支柱３と上連結部材３ａとで門型状の支柱フレーム３ｂを構成し、ユーザ側でも簡潔で安価なシートシャッタ組付手段としてユニット化できるフレーム構造にしている。尚、上連結部材３ａは、前後幅を４５ミリ、上下幅を３０ミリ、間口幅２０００ミリ、板厚１．６ミリ程度で、床面からの取付け高さを２６００ミリ程度にしている。
【００３４】
これによるシートシャッタ１の現場設置作業は、先ず支柱フレーム３ｂを建物の出入口支柱や壁部材等の間口構造部材に対し適宜手段によって取付けて、次いで立設された左右の支柱３に各対応するシートガイド１１を後述するガイド取付手段によって取付け、その後、支柱３の上部に対しシートケース４の左右上下をドリルボルト等の取付具３ｃによって取付け、また制御盤９を近隣適所に取付けることにより設置を完了することができる。
【００３５】
次に、シートシャッタ１の各部の構造について図１〜図１５を参照し説明する。先ず、シート２の両側を進退自在に案内支持する各シートガイド１１は、合成樹脂材を押出し成形型によって製作され、本発明に適した方形状のレール断面内に各種の機能スペースとレール壁を有するガイド本体断面に製作される。これにより合成樹脂製のシートガイド１１は、十分な強度を備えてシートシャッタ１の現場設置を行い易くし、且つ低コスト施工を可能にすると共に簡潔で取り扱い易い構成によって、製造や運搬及びメンテナンス作業他の利便性を高めている。
【００３６】
図４，図５を参照し左側のシートガイド１１について説明する。尚、右側のシートガイド１１は左側のものと対称構造によって製作されるので説明を省略する。このシートガイド１１は、正面壁１１ａと後面壁１１ｂと外面壁（左面壁）１１ｃと内面壁（右面壁）１１ｄとにより略正方形状のレール断面を形成し、後述するガイド取付手段によって、後面壁１１ｂ側を支柱３の正面壁に着脱自在に取付けるようにしている。このシートガイド１１は、間口側壁になる内面壁１１ｄ側に溝状開放部１３を形成する平行な前後側壁によってアウターレール１４を構成している。
【００３７】
アウターレール１４は、前後側壁間で形成される溝状開放部１３内に、平面視コ字状断面のインナーレール１６を左右及び上下方向にスライド移動可能に嵌合し着脱自在に取付けることができる。図示するインナーレール１６は、インナー係止部になるレール底壁１６ａの前後両辺から、先端側を内向きに曲げたフックを有する係合ガイド１６ｂを一体的に且つ弾力的に開閉できるように突設しており、これによりコ字状断面になるレール溝内に前記シート２の係合突起１０を挿入係止することができる。またインナーレール１６の上端部には上部シートガイド１７が接続される。尚、アウターレール１４及びインナーレール１６並びに上部シートガイド１７は、耐摩耗性と所定の可撓性と潤滑性を備えている。
【００３８】
そして、シートガイド１１は、アウターレール１４の内奥側（外向き側）に溝状開放部１３に通ずるインナー支持室２０を、平面視で略正方形状断面をなし縦向き筒状に連通形成している。このインナー支持室２０内には、ガイド取付手段とインナーレール１６を介しシート２を弾力的に引っ張り付勢するレール付勢支持機構２１を収容設置し、シート２の下降閉鎖時にシート２を外方に向け引っ張り保持し緊張姿勢にする後述のシート緊張支持機構２２を必要に応じて設置できる。
【００３９】
次に、レール付勢支持機構２１について図３〜図１４を参照し説明する。このレール付勢支持機構２１は、インナーレール１６のレール底壁１６ａ側に上下方向の取付け間隔を有して挿入し且つ抜け止め係止される複数の取付ピン２３と、各取付ピン２３の先端側から挿入されてインナー支持室２０の内側仕切り壁２０ｂに接当するインナー規制支持具２４と、取付ピン２３の外端側の大径部分からなる支持ピン部２３ａに外装して支持され、帯板状のインナー規制支持具２４の外面に接当して押接付勢をするコイル状のスプリング２６と、上下に対をなして隣接する各取付ピン２３の先端側に挿入される針金状の取付具２７等から構成される。
【００４０】
上記取付ピン２３は、その内側所定位置に支持ピン部２３ａとの段部を形成しており、支持ピン部２３ａの外周にスプリング２６を安定的に挿入支持すると共に、スプリング２６の押接付勢によってインナー規制支持具２４をインナー支持室２０の内側仕切り壁２０ｂに接当させ、インナーレール１６をインナー規制支持具２４によって弾力的に支持している。またシート２がインナーレール１６を強く内向き移動させるとき、取付ピン２３の段部がスプリング付勢力に抗しインナー規制支持具２４に接当することにより、取付具２７と内側仕切り壁２０ｂを介してインナーレール１６のアウターレール１４からの離脱を規制防止する。
【００４１】
そして、図１４で示すように先端に取付孔２３ｂを穿設している取付ピン２３は、レール底壁１６ａに挿入してレール溝内に突出する２本の取付ピン２３の各取付孔２３ｂに、線状の取付具２７の上下両端を各挿入係止することにより、インナー規制支持具２４と取付具２７との間でレール底壁１６ａを弾力的に挟持した状態にすることができる。これによりレール付勢支持機構２１は、取付具２７によって取付ピン２３の抜け止めを、簡潔で安価な構成によって長期間にわたり確実に行うことを可能にする。また取付具２７は、可撓性及び弾性力を有するステンレス材等からなる針金状の線材が好ましいが、別の抜け止め手段にすることもできる。
【００４２】
即ち、実施形態の取付具２７は、係合ガイド１６ｂの両フックで形成されるフック溝幅が２．５ミリであるところ、線径を２ミリ程度にし、隣接する取付ピン２３のピン間隔が２５０ミリ、線長さは３００ミリ程度にし、且つ線材に突設してスライド移動を規制する上下のストッパ２７ａの間隔を２４０ミリ程度にしている。これにより取付具２７は図１４に示すように、真直な線状部材を２点鎖線で示すように両手で大きく湾曲させながら、取付具２７の下端を両係合ガイド１６ｂのフック溝に差し入れながら下方の取付ピン２３の取付孔２３ｂに挿入する。
【００４３】
次いで、取付具２７の上端を大きく湾曲させた状態でフック溝に差し入れながら、上方の取付ピン２３の取付孔２３ｂに挿入したのち手を離す。これにより取付具２７は、上下の取付孔２３ｂ内に挿入支持された状態で元の真直姿勢に復帰するため、簡単にセットすることができる。このとき取付具２７は、ストッパ２７ａが取付具２７の上下方向の移動を阻止して位置決め固定をするので、レール付勢支持機構２１の組み付け作業を能率よく行うことができる。
【００４４】
尚、レール付勢支持機構２１を分解してメンテナンス作業を行う場合には、前記取付具２７を逆順の作業によって各取付ピン２３から抜き去ることにより簡単に行うことができる。またストッパ２７ａは、熱硬化性の合成樹脂パイプを所定位置に挿入した状態で硬化させると簡単安価に構成することができるが、これに限ることなく圧潰し加工等による突起状ストッパにしてもよい。
【００４５】
また前記インナー規制支持具２４は、他端側をコ字状に屈曲させたシート緊張支持機構２２用の延長支持部２４ａを設けた形状にしているが、これに限ることなく図１１〜図１３に示すように、シンプル型のシートガイド１１では、ストレートな帯状板によって構成することもできる。また帯状板によるインナー規制支持具２４は、延長支持部２４ａを不要とする部位にも設置することができる。
【００４６】
上記構成によるインナーレール１６は、取付ピン２３に外装するスプリング２６によって、インナー支持室２０内で常に外向きに且つ弾力的に付勢支持される。そして、スプリング２６による牽引作用を奏するシート２は、その端部の係合突起１０をインナーレール１６内に収容係止し左右両側に向け弾力的に牽引された状態で、シートガイド１１に沿って案内支持され間口を開閉する。
【００４７】
一方、シート２に例えば強い風圧が掛かり又はフォークリフト等が当接して内向きの負荷が掛かった場合、インナーレール１６は係合突起１０と係合ガイド１６ｂを介して且つスプリング２６に抗して内向きに牽引され、さらに強い力が作用する場合には、対向する係合ガイド１６ｂの内側の開放端が弾力的に開いて、係合突起１０が係合ガイド１６ｂ内から引出されて両者の係合が外れ、シート２とインナーレール１６側に過負荷が掛からないように保護される。
【００４８】
また図２に２点鎖線で示すように、係合ガイド１６ｂから外れたシート２は、シートの巻き戻しによりシートガイド１１の上端に設けられた下向きで逆Ｖ字形の復帰溝１８に案内されながら上端側の係合ガイド１６ｂ内に収納され、接地部１２が設定上限位置まで上昇した後再下降すると、シート２の両端の係合突起１０はその下端を上向きでＶ字形の復帰溝１８のガイドにより下側の係合ガイド１６ｂ内に再度復帰挿入され、通常の昇降作動姿勢に戻される。
【００４９】
そして、インナーレール１６は上端部に合成樹脂材によってレール溝を有して製作される上部シートガイド１７を着脱自在に嵌合している。これにより上部シートガイド１７は、そのレール溝によってシート２の巻き取り案内と繰り出し案内をスムーズにする。また上部シートガイド１７は、ガイド本体からシートストッパ片１７ａを内向きに一体的に突設している。このシートストッパ片１７ａは、接地部１２の両側近傍に設置したストッパ３３を接当させることができ、これによりシート２の巻き取り誤動作時に接当位置以上の上昇を規制して接地部１２の巻き込みを防止する。
【００５０】
ここで図４〜図８を参照しシャッタ用シート端部のガイド構造について説明する。前記シート２は、その幕体部分である本体部２ａの両端に、所定幅のベルト状（又は帯状）をなして弾性変形可能なプラスチック製の端部材２ｂが、ヒート溶着又は接着により接合されて取付けられている。
【００５１】
また各端部材２ｂの外端部には、上下に線材状に連続する係合突起１０が端部材２ｂと一体成形されており、この係合突起１０はコ字状断面の係合ガイド１６ｂの左右方向に平行な前後壁間のレール溝中空部に上側又は下側から挿入され、これにより端部材２ｂは内側向きの開放端の上部又は下部から内部に挿入されて、開放端側の互に向き合う方向に鈎形に折曲したフックによって抜け止め方向に挿入係止される。
【００５２】
次に、図２〜図５を参照しシートガイド１１の構造及びガイド取付手段並びに作用等について詳述する。このシートガイド１１は、合成樹脂成型により方形状のレール断面内に各種機能スペースと補強部材にできる各種仕切り壁を構成している。先ず、後面壁１１ｂと正面壁側としての前側仕切り壁１１ｅとの間に、前記したようにアウターレール１４の溝状開放部１３とインナー支持室２０の開放部でもあり、両者はレール方向に一連に連通して平面視Ｃ形断面に形成されている。そして、前側仕切り壁１１ｅと正面壁１１ａとの間には、各種の配線を可能にすると共に取扱説明書或いは工具類等の物品を収納可能にする収納室２０ａを形成している。
【００５３】
この収納室２０ａは、正面壁１１ａの中央部を開口する開口部１１ｆをレール方向に形成しており、該開口部１１ｆには上下方向に長い合成樹脂製の蓋２０ｄを嵌め込み等の取付け手段によって、全開放又は部分選択開放自在に構成される。また溝状開放部１３と収納室２０ａとの間には、各仕切り壁によって囲まれる補強構造室２０ｃを形成しアウターレール１４を補強している。また補強構造室２０ｃは、下部側の室内に光電管型の検知部９ｃ（図１参照）を内向きに取付ける取付け部材として利用している。
【００５４】
上記のような断面構造によってインナー支持室２０等を形成するシートガイド１１は、隣接して交差する仕切り壁で形成されるコーナー部が有効な補強壁部になりレール方向の曲げ剛性を高めるため、前側仕切り壁１１ｅと外面壁１１ｃとを薄くすることができる。これによりシートガイド１１は、十分なレール剛性を有しながら溝状開放部１３を図４，図５で矢印方向に向けて弾力的に大きく開けることができると共に、手を離すことにより元の姿に復帰動作することを可能にするレール構造にしている。
【００５５】
従って、シートガイド１１に変形や亀裂等を伴うことなく溝状開放部１３からレール付勢支持機構２１や後述する取付座３０等を容易に取り出すことができ、またインナーレール１６の交換や部品の交換修理等のインナー支持室２０内のメンテナンス作業を行い易くする等の特徴がある。
【００５６】
上記構成のシートガイド１１は、支柱３の少なくとも正面上下位置に、ガイド本体の上下部に設けられるガイド取付手段を介し簡単且つ能率よく取付けることができる構造にしている。即ち、図４で示すようにガイド取付手段は、２本の取付ボルト２９を上下に所定取付け間隔を有して取付ける締着手段と、図５に示すように上下の取付ボルト２９の間に、先端ネジ部を長くした間隔規制ボルト２９ａ等を有するガイド間隔規制手段とによって構成している。
【００５７】
上記取付ボルト２９と間隔規制ボルト２９ａは、共に両ボルトに対向して前側仕切り壁１１ｅに穿設される通し孔１１ｇを介しインナー支持室２０に挿入し、ボックススパナ等の工具を用い取付け取外し作業を簡単且つ容易に行うことができる。また取付ボルト２９はドリルボルトにすることにより、左右の支柱３にネジ孔等を予め加工することなく、設置現場においてドリルボルトをねじ込むだけで、シートガイド１１の後側壁１１ｂを支柱３に締着して取付けることができる。このとき図４，図１６に示す平面視コ字状をなす取付座３０を用いる場合は、後片部が取付ボルト２９を挿入する座金になるため広い座面によって安定的な締着を可能にする。
【００５８】
一方、ガイド間隔規制手段は図５，図１７に示すように、インナー支持室２０内に嵌合自在な平面視コ字形状をなす取付座３０と、取付け姿勢において６角形のボルト頭部を前側仕切り壁１１ｅから前方に突出させる長さの間隔規制ボルト２９ａと、該間隔規制ボルト２９ａに挿入して前側仕切り壁１１ｅに押接させるワッシャ状の規制座３１と、収納室２０ａ内で上記ボルト頭部に嵌合自在に挿入されると共に、回り止めした係合状態で挿入自在な固定板３２とから構成している。そして、取付座３０の後側片には間隔規制ボルト２９ａの先端をネジ込自在なネジ部３３をバーリング加工によって形成し、前側片には間隔規制ボルト２９ａ用の通し孔と上下の取付ボルト２９用の各通し孔３０ａを穿設している。
【００５９】
これによりガイド間隔規制手段は、通し孔１１ｇから挿入した間隔規制ボルト２９ａをインナー支持室２０内に設置された取付座３０のネジ部にねじ込むことができ、規制座３１を介して前側仕切り壁１１ｅを押し撓ませて溝状開放部１３を狭く調節したアウターレール１４にすることができる。こときコ字状の取付座３０は、前側仕切り壁１１ｅが取付座３０に強く接当する位置で規制支持するため押し過ぎによるトラブルを防止する。
【００６０】
これにより作業者は、可撓性及び弾性力を有して製作される合成樹脂製のシートガイド１１において、アウターレール１４とインナーレール１６の前後方向の隙間調節を、スライド隙間が０．１ミリ程度になるように精度よく行うことができ、その位置決め固定も簡単確実にすることができる。そして、インナーレール１６がシート２に加わる外力によって前後方向に傾倒して溝状開放部１３をこじ開けようとするとき、前側仕切り壁１１ｅを介して規制座３１がこじ開け方向の負荷に抗して溝状開放部１３の押し開きをアウターレール１４が規制するので、インナーレール１６を適正ガイド姿勢に修正復帰することになり長期にわたるシート２の昇降ガイドをスムーズにする。
【００６１】
以上のように構成されるシートシャッタ１は、シートガイド１１の正面壁１１ａと後面壁１１ｂとに連なる外面壁１１ｃと内面壁１１ｄとの間でアウターレール１４の溝状開放部１３とインナー支持室２０とをＣ形断面により連通させ、アウターレール１４の溝状開放部１３を狭めインナーレール１６をスライド自在に保持するスライド保持姿勢から、間隔規制ボルト２９ａ等のレール溝開放手段によって溝状開放部１３を拡開する構成にしたことにより、シートガイド１１を取り外すことなく、開放されたアウターレール１４からインナーレール１６及びレール付勢支持機構２１等の着脱を簡単にすることができる。
【００６２】
これによりシートガイド１１は、正面壁１１ａと後面壁１１ｂとに連なる外面壁１１ｃと内面壁１１ｄとの間で、溝状開放部１３とインナー支持室２０とを連通させた断面構造のシートガイド１１を、成形型を利用し外面壁１１ｃ側と正面壁１１ａ側とに可撓性及び弾性力を付与して製作される合成樹脂製にすることができるので、シートガイド１１の軽量化と低コスト製造並びにガイドの意匠的美観と取り扱いの利便性を高めることを可能にする。また合成樹脂製のシートガイド１１は、蝶番構造によることなく外面壁１１ｃ側或いは正面壁１１ａ側を側方に大きく撓ませて、アウターレール１４の溝開放ができると共に、正面壁１１ａ側から溝状開放部１３をスライド隙間調節自在にすることができる等の特徴がある。
【００６３】
また合成樹脂により製作されると共に、前記したガイド取付手段によってシートガイド１１を支柱３に取付けることができるシートシャッタ１は、鉄骨用等として汎用されて安価な角パイプを製造メーカ側で組み付け出荷する費用、例えば角パイプと該角パイプを左右の支柱長さに切断し横連結部材（支柱用梁構造材）で門型フレーム構造にするための、材料及び加工組み付け費用並びに設置現場への運搬設置費用等ユーザ側の費用負担を軽減することができる。またシートシャッタ１の新しい設置方式と流通システムを構築することができる等の利点がある。
【００６４】
つまり、本発明を実施するシートシャッタ１によれば、メーカ側の製造では長大且つ取り扱いが煩雑でコスト高につく支柱フレーム構造体を、ユーザ側が予め現地で標準化された支柱フレーム製作手段（製作マニュアル等）をパソコン通信等によって設置し易くするようにでき、メーカ側からはシートケース４のユニット体と２本のシートガイド１１等をコンパクトな荷姿にして送ればよいため、高価な支柱フレーム構造体の費用負担をユーザ側にさせることなく、ユーザ満足度の高いシートシャッタ１の設置をスムーズ行うことができる。
【００６５】
そして、設置作業においてはドリルボルトやタッピングネジを用いることが望ましく、この場合には、支柱３等への穴明け加工を省略して組み付け作業を能率よく行うことができると共に、ユーザー側が行う現物合わせによる組み立て及び分解修理等のメンテナンス作業もより行い易くすることができる。
【００６６】
次に、図１２，図１３を参照し支柱３及びシートガイド１１の別実施形態について説明する。尚、前記実施形態のものと同様な構成及び作用については説明を省略する。このシートガイド１１はコンパクトでシンプルな構造例を示し、部屋のスポット的な間仕切り用等の比較的小型のシートシャッタ１に対応することができる。このため図示例のシートガイド１１はシート緊張支持機構２２の設置を省略し、これによりインナー支持室２０は、前後幅及び左右幅を小さくしながら、レール付勢支持機構２１を収容設置できる最小限の断面構造によって形成している。
【００６７】
また実施形態のシートガイド１１は、収納室２０ａを上記インナー支持室２０と略同じ断面積にすることにより、全体として正方形状断面のガイド構造にしている。そして、シートガイド１１を取付ける支柱３も、シートガイド１１と同じ正方形状断面の外形にしている。これによりシートガイド１１と支柱３とは、取り扱い易く軽量な正方形状部材として構成され、支柱３にシートガイド１１を取付ボルト２９によって取付けたとき、全体としてまとまりのよい前後方向に広い長方形断面をなす剛体構造にすることができる。
【００６８】
そして、支柱３に取付けた状態のシートガイド１１は、前記実施形態のものと同様に、インナー支持室２０内に設置された取付座３０のネジ部３３に、通し孔１１ｇから挿入した間隔規制ボルト２９ａをねじ込むことにより、規制座３１を介して前側仕切り壁１１ｅを押し撓ませ溝状開放部１３を狭くし、アウターレール１４内でインナーレール１６を適正スライド隙間を有して支持することができる。また間隔規制ボルト２９ａをネジ部３３から外すことにより、内側仕切り壁（正面壁）２０ｂの前側移動を介して溝状開放部１３を押し広げ、レール付勢支持機構２１とインナーレール１６また必要により取付座３０を取り出しメンテナンス作業をすることができる。尚、外面壁１１ｃ側にレール方向に沿う蝶番構造又は屈折開閉構造を設ける場合には、正面壁等を大きく撓ませることなく溝状開放部１３をより開き易くすることができる利点がある。
【００６９】
上記取付ボルト２９と間隔規制ボルト２９ａは、共に両ボルトに対向して前側仕切り壁１１ｅに穿設される通し孔１１ｇを介しインナー支持室２０に挿入し、ボックススパナ等の工具を用い取付け取外し作業を簡単且つ容易に行うことができる。また取付ボルト２９はドリルボルトにすることにより、左右の支柱３にネジ孔等を予め加工することなく、設置現場においてドリルボルトをねじ込むだけで、シートガイド１１の後側壁１１ｂを支柱３に締着して取付けることができる。尚、シートガイド１１の設置作業において、前記平面視コ字状をなす取付座３０を用いる場合は、後片部が取付ボルト２９を挿入する座金になり安定的な締着を可能にする。
【００７０】
一方、ガイド間隔規制手段は図５に示すように、インナー支持室２０内に嵌合自在な平面視コ字形状をなす取付座３０と、取付け姿勢において６角形のボルト頭部を前側仕切り壁１１ｅから前方に突出させる長さの間隔規制ボルト２９ａと、該間隔規制ボルト２９ａに挿入して前側仕切り壁１１ｅに押接させるワッシャ状の規制座３１と、収納室２０ａ内で上記ボルト頭部に嵌合自在に挿入されると共に、回り止めした係合状態で挿入自在な固定板３２とから構成している。そして、取付座３０の後側片には間隔規制ボルト２９ａの先端をネジ込むネジ部３３をバーリング加工によって形成し、前側片には間隔規制ボルト２９ａ用の通し孔と上下の取付ボルト２９用の各通し孔３０ａを穿設している。
【００７１】
これによりガイド間隔規制手段は、通し孔１１ｇから挿入した間隔規制ボルト２９ａをインナー支持室２０内に設置された取付座３０のネジ部にねじ込むことができ、規制座３１を介して前側仕切り壁１１ｅを押し撓ませて溝状開放部１３を狭く調節したアウターレール１４にすることができる。こときコ字状の取付座３０は、前側仕切り壁１１ｅが取付座３０に強く接当する位置で押し過ぎによるトラブルを防止する。
【００７２】
次に、シート２が間口を閉鎖する際に、インナーレール１６を介しシート２を外向きに引っ張り支持してシート２を緊張させるシート緊張支持機構２２の態様例について図６〜図１０を参照し説明する。図示例のシート緊張支持機構２２は、左右のシートガイド１１に形成されるインナー支持室２０内に設置にするため、シート２を進退可能にガイドするインナーレール１６と、シート２の間口閉じ状態でインナーレール１６を外向き方向に切換動作し、シート２を左右方向（外向き）に引っ張って緊張姿勢に切換えることができるレール切換部３４等によって構成している。
【００７３】
即ち、実施形態のシート緊張支持機構２２は、制御盤９による指令によって動作するモータ３５と、そのモータ軸から下向きに延長接続される回動軸３６と、該回動軸３６に所定の作動間隔有して前記インナー規制支持具２４の延長支持部２４ａに接当する複数の切換片３７等から構成している。上記切換片３７は図６に示すモータ３５の復帰動作に基づく復帰姿勢（非緊張姿勢）において、上記延長支持部２４ａの復帰を妨げることなくインナーレール１６を通常の昇降ガイド姿勢にすることができる。
【００７４】
これによりモータ３５が切換動作すると、図７で示すように回動軸３６を介し切換片３７が矢印方向に回動し、そのカム部の先端でインナー規制支持具２４を外側に向けて押動し、インナー規制支持具２４を介しインナーレール１６を引き込んだ位置で、モータ３５の停止に基づきシート２を緊張させて撓みを防止した緊張姿勢に保持することができる。そして、シート２が開動する際にモータ３５が復帰回動すると、切換片３７が延長支持部２４ａの固定を解除するため、レール付勢支持機構２１を介しインナーレール１６が非緊張姿勢に復帰しシート２の通常進退ガイドをスムーズにする。
【００７５】
以上のように構成されるシート緊張支持機構２２を備えるシートシャッタ１は、シート２が下降して間口を閉じるとき又は閉じたときにレール切換部３４を切換動作するので、シート２の移動を妨げることなくインナーレール１６を介しシート２の左右を均等に引っ張り速やかに緊張姿勢にする。これにより間口閉鎖時に接地部１２が通直性を高めた緊張状態で接地するため、接地部１２に重量のある鉄製パイプ等の剛体ウェイトの設置を必要とすることなく、風や気圧変動等による前後方向の大きな摺接移動を抑制するため、接地部１２の摺動に伴う汚損や破損を低減することができる。
【００７６】
また接地時に両端を緊張支持されるシート２は、鉄製パイプ等を用いないため接当体との接当時に、上方に向けて屈曲性を有して緩衝するものでありながら、日常的な強い風圧を受ける場合でも、在来型シートの接地部構造のように、接地時に接地部中央が撓むことによって持ち上げられることがないため、接地部と床面との間に局所的な隙間の発生も防止することができる。従って、このシートシャッタ１は、接地時における虫等の侵入を阻止することができる。
【００７７】
一方、シート２が上昇するときは、レール切換部３４が自動的に復帰動作しインナーレール１６を元のガイド姿勢に速やかに切換えるので、シート２の昇降動作が自由になり間口の開閉を支障なく行うことができる。尚、レール切換部３４の切換動作と復帰動作は、制御盤９が備えるマイコン制御によってシート２の開閉時に自動的に行うと共に、手動による操作も可能にすることができる。
【００７８】
そして、実施形態のシート緊張支持機構２２は、前側仕切り壁１１ｅの内面に沿って取付け自在な縦取付け面を有する側面視Ｌ字状の複数の取付ブラケット３８を、その横取付け面側をモータ３５の下部に設けると共に、回動軸３６の中途と下端側の所定箇所に回動自在に設けたユニット構造にすることができる。これによりシート緊張支持機構２２は、レール方向に沿う簡潔で安価なユニット構造体として取り扱い易くコンパクトに纏めることができ、工場組立時にはシートガイド１１の上方又は下方からインナー支持室２０内に容易に差し込み収容することができる。
【００７９】
そして、開口部１１ｆと収納室２０ａを介し上記複数の取付ブラケット３８の縦取付け面を、前側仕切り壁１１ｅの内面に取付けたのち開口部１１ｆに蓋２０ｄを嵌め込むことにより、組み付け作業を能率よく完了することができる。一方、使用現場に設置されているシートシャッタ１に対し、シート緊張支持機構２２のメンテナンス作業を行う場合には、支柱３又は建物の構造物からシートケース４やシートガイド１１を取り外すことなく、両者をそのままにした状態で、前記したように大きく開口させた溝状開放部１３から行うことができる。このとき、ユニット構造のシート緊張支持機構２２は、モータ３５と切換片３７をセットした回動軸３６を連結したまま分解することなく着脱することができる。
【００８０】
また上記のように構成されるシート緊張支持機構２２によれば、取付け所定位置で前側仕切り壁１１ｅに穿設される取付け孔に取付ブラケット３８の取付け面を対向させることができるので、両者を開口部１１ｆ側からボルト等の取付具によって簡単に取付けることができる。従って、予めインナー支持室２０内にシート緊張支持機構２２を設置しないシートシャッタ１のシートガイド１１に対しても、例えば立設状態にあるシートガイド１１或いは取外した状態のシートガイド１１に、ユニット化されたシート緊張支持機構２２を一側から挿入しインナー規制支持具２４に切換片３７を位置決めすることができるので、シート緊張支持機構２２を備えるシートシャッタ１を後付け作業によっても簡単に構成することができる等の特徴がある。
【００８１】
次に、図１５を参照しシートガイド１１のカバー構造について説明する。実施形態のガイドカバー４１は、板厚０．５ミリ程度のステンレス板を平面視略コ字状の断面に屈曲形成することにより、支柱３に沿って取付けたシートガイド１１に対し、少なくとも正面壁１１ａと外面壁１１ｃと内面壁１１ｄとを、床面側から所定高さ範囲（例えば、８００ミリ程度）をシート２の通過を許容する開口部４１ｋを形成して着脱可能に覆う構成にしている。
【００８２】
従って、このガイドカバー４１は、間口内を移動する車両や運搬物等（接当体）が合成樹脂製のシートガイド１１のガイド本体保護を行う。そして、上記のように構成されるガイドカバー４１は、シートガイド１１の構造を利用し且つ車両等が接当する高さ範囲に着脱自在に装着するため、前記した各種のメンテナンス作業を能率よく行うことができる。
【００８３】
図示例のカバー構造は、ガイドカバー４１はシートガイド１１の正面壁１１ａ側を平坦面状に覆う正面壁４１ａの外内両端から外面壁４１ｃと内面壁４１ｄとを後方に向けて略平行に延長させており、この延長端の間に形成する開口部４１ｋをシートガイド１１に側方から嵌め込み可能な大きさで開口している。そして、実施形態のガイドカバー４１は、外面壁４１ｃの後端に連なる後面壁の一部として屈曲して形成される後側係止部４１ｂを、シートガイド１１と支柱３との間で凹溝状に形成される係合溝４２に挿入可能に設けている。
【００８４】
また内面壁４１ｄの端部側に曲げ形成する内側係止部４１ｈは、内面壁１１ｄ側に凹入形成している係合凹部１１ｈに係脱自在に入り込む形状にしている。これによりシートガイド１１に対するガイドカバー４１の取付けは、先ず内面壁４１ｄ側を板の弾性力に抗して矢印方向に撓ませて開き、大きく開口させた開口部４１ｋにシートガイド１１を入れながら後側係止部４１ｂを係合溝４２に差し込んだのち、内側係止部４１ｈを弾力的に反矢印方向に戻し内面壁１１ｄ側の係合凹部１１ｈに嵌め込むことにより、ガイドカバー４１の取付け作業を完了する。尚、後側係止部４１ｂは、ガイドカバー４１が取付け方向の強い弾性力を有する場合には省略することができると共に、係合凹部１１ｈの形成も不要にできる。
【００８５】
そして、ガイドカバー４１を装着するシートガイド１１を備えるシートシャッタ１は、接当体が強く接当してガイドカバー４１を局部的に凹ませることにより、例えばシートガイド１１のコーナー部を欠落させた場合に、欠落物をガイドカバー４１内に残留させて外部飛散を確実に防止することができる。従って、長期の使用においても食品等への異物混入（コンタミ）の憂いのない合成樹脂製のシートガイド１１を備える、食品工場用に適したシートシャッタ１にすることができる。尚、ガイドカバー４１が検知部９ｃ等を覆う場合は、その対応部位を切欠して用いることができる。
【００８６】
また例えば、上記のような接当に伴う欠落物を除去する際に行うガイドカバー４１の取外し作業は、先ず内側係止部４１ｈを弾性力に抗して係合凹部１１ｈとの係合を解除し矢印方向に開くと、逆順の動作によって取外しできる。尚、ガイドカバー４１は、シートガイド１１の全長を覆う長さにして覆うこともできるが、長さ方向に分割形成した複数のガイドカバー４１を順次装着して全長を覆うように構成してもよい。またガイドカバー４１は、コンタミ防止用としてネジ等の取付具を有しない図示例のようなワンタッチ着脱型が望ましいが、必要により任意な取付具を用いた着脱型にすることができる。
【００８７】
また支柱３は、鉄骨製の中空柱を示したがこれに限定することなく、例えば和風建築のシートシャッタ１にする場合には、木製柱にすることができる。
さらに、合成樹脂材又はアルミ材から製作されるシートガイド１１は、強度を有する材質や板厚によるガイドカバー４１で全長を覆う場合には、ガイドカバー４１の両端に固定構造を付与し支柱３として兼用することができる。
【符号の説明】
【００８８】
１    シートシャッタ
２    シート
３    支柱
４    シートケース
５    シートドラム
１１  シートガイド
１１ａ  正面壁
１１ｂ  後面壁
１１ｃ  外面壁
１１ｄ  内面壁
１２  接地部
１３  溝状開放部
１４  アウターレール
１６  インナーレール
１６ａ  レール底壁
１６ｂ  係合ガイド
２０  インナー支持室
２０ｂ  内側仕切り壁
２１  レール付勢支持機構
２２  シート緊張支持機構
２３  取付ピン
２４  インナー規制支持具
２６  スプリング
２７  取付具
２９  取付ボルト（ドリルボルト）
２９ａ  間隔規制ボルト
４１  ガイドカバー
４１ｋ  開口部
【図１】
2018040206.tif 000003
【図２】
2018040206.tif 000004
【図３】
2018040206.tif 000005
【図４】
2018040206.tif 000006
【図５】
2018040206.tif 000007
【図６】
2018040206.tif 000008
【図７】
2018040206.tif 000009
【図８】
2018040206.tif 000010
【図９】
2018040206.tif 000011
【図１０】
2018040206.tif 000012
【図１１】
2018040206.tif 000013
【図１２】
2018040206.tif 000014
【図１３】
2018040206.tif 000015
【図１４】
2018040206.tif 000016
【図１５】
2018040206.tif 000017
【図１６】
2018040206.tif 000018
【図１７】
2018040206.tif 000019